(57)【特許請求の範囲】
【請求項１】
透明基板と、該透明基板の表面に形成された位相シフト層と、を有する位相シフトマスクブランクスの洗浄装置であって、
前記位相シフトマスクブランクスを回転させる回転手段と、前記位相シフトマスクブランクスの表面に対して所定の間隔を保ってオゾン濃度が４０ｐｐｍ以上の高濃度オゾン水を噴射する噴射ノズルと、前記噴射ノズルに、液温が４０℃以上６０℃以下の範囲の前記高濃度オゾン水を供給するオゾン水加熱手段と、を備えたことを特徴とする位相シフトマスクブランクスの洗浄装置。
【請求項２】
前記噴射ノズルに、オゾン濃度が７９ｐｐｍ以上１５０ｐｐｍ以下の範囲の前記高濃度オゾン水を供給するオゾン水供給手段を備えたことを特徴とする請求項１記載の位相シフトマスクブランクスの洗浄装置。
【請求項３】
前記噴射ノズルを前記位相シフトマスクブランクスの表面に対して平行にスキャンさせるノズル移動手段を備えたことを特徴とする請求項１または２に一項記載の位相シフトマスクブランクスの洗浄装置。
【請求項４】
前記噴射ノズルの先端と前記位相シフトマスクブランクスの表面との間隔は、５ｍｍ以上、２０ｍｍ以下の範囲に設定されることを特徴とする請求項１ないし３いずれか一項記載の位相シフトマスクブランクスの洗浄装置。
【請求項５】
前記位相シフト層は、モリブデンシリサイドの酸化物、窒化物、炭化物、酸化窒化物、炭化窒化物及び酸化炭化窒化物のいずれかより構成されていることを特徴とする請求項１ないし３いずれか一項記載の位相シフトマスクブランクスの洗浄装置。
【請求項６】
透明基板と、該透明基板の表面に形成された位相シフト層と、を有する位相シフトマスクブランクスの製造方法であって、
前記透明基板上に前記位相シフト層を形成する位相シフト層形成工程と、
前記位相シフトマスクブランクスを加熱する加熱工程と、
前記位相シフトマスクブランクスを回転させつつ、前記位相シフトマスクブランクスの表面に対してオゾン濃度が４０ｐｐｍ以上で液温が４０℃以上６０℃以下の範囲の高濃度オゾン水を噴射し、前記位相シフト層を洗浄する洗浄工程と、を少なくとも備えたことを特徴とする位相シフトマスクブランクスの製造方法。
【発明の詳細な説明】
【技術分野】
【０００１】
本発明は、微細かつ高精度な露光パターンを形成することが可能な位相シフトマスクブランクの洗浄装置、およびこれを用いた位相シフトマスクブランクの製造方法に用いて好適な技術に関する。
【背景技術】
【０００２】
一般に、半導体装置の製造工程では、フォトリソグラフィー法を用いて微細パターンの形成が行われている。この微細パターンの形成には、通常何枚もの転写用マスクと呼ばれている基板が使用される。この転写用マスクは、一般に透光性のガラス基板上に、金属薄膜等からなる微細な薄膜パターンを設けたものである。この転写用マスクの製造においても、フォトリソグラフィー法が用いられている。
【０００３】
近年、半導体装置の集積度が著しく向上するにつれ、転写用マスクにおけるパターンの微細化の要求が高まっている。転写用マスクとしては、バイナリマスクや位相シフトマスクが知られている。バイナリマスクは、透光性基板上に、例えばクロム系材料からなる遮光膜パターンを有するマスクである。位相シフトマスクは、透光性基板上に、露光光に対して所定の位相差を生じさせる位相シフト層を形成したマスクである。
【０００４】
位相シフトフォトマスクは、パターンの遮光部分でもわずかながら光を透過することを特徴としており、この透過した光と主パターンの光とは位相が逆転しているため、パターンの境界部分では逆転した光と主パターンの光との干渉により光強度低下が起こり、この現象が光り強度分布の裾の広がりを防ぐため解像力向上効果を得ることができ、従来から種々の分野で利用されている。
【０００５】
このような位相シフトマスクを形成するための位相シフトマスクブランクスの製造にあたっては、位相シフトマスクブランクスの耐薬品性を高めるために、加熱処理を行っている。しかしながら、こうした加熱工程において、加熱炉の内部でパーティクルが多く発生するという課題があった。こうしたパーティクルは、加熱温度が比較的高いために、位相シフトマスクブランクスに付着すると、パーティクルが固着してしまい、後工程である洗浄工程において、固着したパーティクルの除去が困難であった。
【０００６】
このため、洗浄効果の高い薬液を用いることによってパーティクルを除去する方法もあるが、洗浄効果の高い薬液は位相シフト層の光学特性を変化させてしまうという課題がある。
【先行技術文献】
【特許文献】
【０００７】
【特許文献１】特開平８−２７２０７１号公報
【特許文献２】特開２００６−０７８９５３号公報
【特許文献３】特開２００７−２７１７２０号公報
【発明の概要】
【発明が解決しようとする課題】
【０００８】
本発明は、上記事情に鑑みてなされたものであって、パーティクルを効果的に除去することができ、かつ位相シフト層の光学特性の変化を抑制可能な位相シフトマスクブランクスの洗浄装置、および位相シフトマスクブランクスの製造方法を提供することを目的とする。
【課題を解決するための手段】
【０００９】
すなわち、本発明の位相シフトマスクブランクスの洗浄装置は、以下の構成を有する。
透明基板と、該透明基板の表面に形成された位相シフト層と、を有する位相シフトマスクブランクスの洗浄装置であって、前記位相シフトマスクブランクスを回転させる回転手段と、前記位相シフトマスクブランクスの表面に対して所定の間隔を保ってオゾン濃度が４０ｐｐｍ以上の高濃度オゾン水を噴射する噴射ノズルと、前記噴射ノズルに、液温が４０℃以上６０℃以下の範囲の前記高濃度オゾン水を供給するオゾン水加熱手段と、を備えたことを特徴とする。
【００１０】
このような構成の位相シフトマスクブランクスの洗浄装置によれば、高濃度オゾン水を、位相シフトマスクブランクスの表面に噴射することによって、熱処理されている位相シフトマスクブランクスであっても、表面に存在するパーティクルを強い酸化力で確実に除去する。また、こうした高濃度オゾン水は、他の酸化剤、例えば高濃度酸などと比較して位相シフト層の光学特性を変化させることが殆ど無いため、位相シフト層の光学特性を劣化させることなく位相シフトマスクブランクスの表面に固着されたパーティクルを除去することができる。
【００１１】
前記噴射ノズルに、オゾン濃度が７９ｐｐｍ以上１５０ｐｐｍ以下の範囲の前記高濃度オゾン水を供給するオゾン水供給手段を備えたことを特徴とする。
【００１３】
前記噴射ノズルを前記位相シフトマスクブランクスの表面に対して平行にスキャンさせるノズル移動手段を備えたことを特徴とする。
【００１４】
前記噴射ノズルの先端と前記位相シフトマスクブランクスの表面との間隔は、５ｍｍ以上、２０ｍｍ以下の範囲に設定されることを特徴とする。
【００１５】
前記位相シフト層は、モリブデンシリサイドの酸化物、窒化物、炭化物、酸化窒化物、炭化窒化物及び酸化炭化窒化物のいずれかより構成されていることを特徴とする。
【００１６】
本発明の位相シフトマスクブランクスの製造方法は、以下の構成を有する。
透明基板と、該透明基板の表面に形成された位相シフト層と、を有する位相シフトマスクブランクスの製造方法であって、前記透明基板上に前記位相シフト層を形成する位相シフト層形成工程と、前記位相シフトマスクブランクスを加熱する加熱工程と、前記位相シフトマスクブランクスを回転させつつ、前記位相シフトマスクブランクスの表面に対してオゾン濃度が４０ｐｐｍ以上で液温が４０℃以上６０℃以下の範囲の高濃度オゾン水を噴射し、前記位相シフト層を洗浄する洗浄工程と、を少なくとも備えたことを特徴とする。
【００１７】
このような構成の位相シフトマスクブランクスの製造方法によれば、高濃度オゾン水を、位相シフトマスクブランクスの表面に噴射する工程によって、熱処理されている位相シフトマスクブランクスであっても、表面に存在するパーティクルを強い酸化力で確実に除去できる。また、こうした高濃度オゾン水は、他の酸化剤、例えば高濃度酸などと比較して位相シフト層の光学特性を変化させることが殆ど無いため、位相シフト層の光学特性を劣化させることなく位相シフトマスクブランクスの表面に固着されたパーティクルを除去することができる。
【発明の効果】
【００１８】
本発明の位相シフトマスクブランクスの洗浄装置、および位相シフトマスクブランクスの製造方法によれば、パーティクルを効果的に除去することができ、かつ位相シフト層の光学特性の変化を抑制可能な位相シフトマスクブランクスの洗浄装置、および位相シフトマスクブランクスの製造方法を提供することが可能になる。
【図面の簡単な説明】
【００１９】
【図１】位相シフトマスクブランクスの一例を示す断面図である。
【図２】位相シフトマスクの一例を示す断面図である。
【図３】本発明の位相シフトマスクブランクスの洗浄装置を示す概要図である。
【図４】図３の噴射ノズル付近を示す要部拡大平面図である。
【図５】本発明の位相シフトマスクブランクスの製造方法を段階的に示したフローチャートである。
【発明を実施するための形態】
【００２０】
以下、本発明を適用した一実施形態である位相シフトマスクブランクスの洗浄装置、および位相シフトマスクブランクスの製造方法について、図面を参照して説明する。なお、以下に示す実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２１】
＜位相シフトマスクブランクスの洗浄装置＞
まず最初に、図１は、本発明の位相シフトマスクブランクスの洗浄装置の洗浄対象物である位相シフトマスクブランクスについて説明する。
図１は、位相シフトマスクブランクスの一例を示す断面図である。
位相シフトマスクブランクスＭＢは、透明基板１０と、この透明基板１０の一面に形成された位相シフト層１１と、位相シフト層１１に重ねて形成された遮光層１３と、から構成されている。
【００２２】
透明基板１０としては、透明性及び光学的等方性に優れた材料が用いられ、例えば、石英ガラス基板を用いることができる。透明基板１０の大きさは特に制限されず、当該マスクを用いて露光する基板（例えば半導体基板）に応じて適宜選定される。一例として、径寸法１００ｍｍ程度の基板や、一辺５０〜１００ｍｍ程度から、一辺３００ｍｍ以上の矩形基板に適用可能であり、更に、縦４５０ｍｍ、横５５０ｍｍ、厚み８ｍｍの石英基板や、最大辺寸法１０００ｍｍ以上で、厚み１０ｍｍ以上の基板も用いることができる。
【００２３】
また、透明基板１０の表面を研磨することで、透明基板１０のフラットネスを低減するようにしてもよい。透明基板１０のフラットネスは、例えば、２０μｍ以下とすることができる。これにより、マスクの焦点深度が深くなり、微細かつ高精度なパターン形成に大きく貢献することが可能となる。さらにフラットネスは１０μｍ以下と、小さい方が良好である。
【００２４】
位相シフト層１１は遷移金属（例えば、遷移金属はモリブデン）とシリコンを主成分とするものであり、具体的には、モリブデンシリサイドの酸化物、窒化物、炭化物、酸化窒化物、炭化窒化物及び酸化炭化窒化物から選択される１つで構成することができ、また、これらの中から選択される２種以上を積層して構成することもできる。
【００２５】
位相シフト層１１は、例えば、３００ｎｍ以上５００ｎｍ以下の波長領域の何れかの光（例えば、波長３６５ｎｍのｉ線）に対して略１８０°の位相差をもたせることが可能な厚さ（例えば、６０〜１７０ｎｍ）で形成される。遮光層１３は、所定の光学特性が得られる厚み（例えば、４０ｎｍ〜２００ｎｍ）で形成される。
【００２６】
図２は、図１の位相シフトマスクブランクスを用いた位相シフトマスクを示す断面図である。位相シフトマスクＭは、上述した位相シフト層１１に対して所定の露光パターンを象った位相シフトパターン１１Ａを形成したものである。こうした位相シフトマスクＭは、位相シフト層１１上にレジスト膜（図示略）などを形成し、例えば、クリプトン−フッ素レーザー光（波長２４８ｎｍ）、アルゴン−フッ素レーザー光（波長１９３ｎｍ）等を含む露光光を用いて、フォトリソグラフィー法を用いた微細パターンの形成を行うことができる。なお、露光光は任意の波長の光を用いることができ、限定されるものでは無い。
【００２７】
図３は、本発明の位相シフトマスクブランクスの洗浄装置を示す概要図である。
図４は、図３の噴射ノズル付近を示す要部拡大平面図である。
位相シフトマスクブランクスＭＢの洗浄装置２０（以下、単に洗浄装置と称することがある）は、筐体２１と、この筐体２１に収容される保持機構２２と、噴射ノズル２３と、この噴射ノズル２３を動かすノズル移動手段２６と、噴射ノズル２３に高濃度オゾン水Ｗを供給するオゾン水供給機構２４と、これら各部を制御する制御部２５とを備えている。
【００２８】
筐体２１は、例えば全体がステンレスによって形成された略円筒形の容器であり、内部に保持機構２２が収容されている。
保持機構２２は、例えば矩形の位相シフトマスクブランクスＭＢを載置するステージ３１と、このステージ３１を回転させる回転手段３２、例えばモータなどから構成されている。
【００２９】
噴射ノズル２３は、その先端部２３ａが位相シフトマスクブランクスＭＢの表面に対して所定の間隔Δｔ（図４参照）を保って高濃度オゾン水Ｗを噴射させるものである。この所定の間隔Δｔは、例えば、５ｍｍ以上、２０ｍｍ以下、本実施形態では１０ｍｍに設定される。こうした間隔範囲に設定することによって、高濃度オゾン水Ｗから溶存しているオゾンが揮発することを抑制し、かつ、高濃度オゾン水Ｗの位相シフトマスクブランクスＭＢの表面での飛散を防止する。
【００３０】
また、噴射ノズル２３には、オゾン濃度を検出する濃度計３３が接続され、この濃度計３３によって、噴射される高濃度オゾン水Ｗのオゾン濃度が連続して測定され、濃度信号として制御部２５に出力される。
【００３１】
ノズル移動手段２６は、噴射ノズル２３の少なくとも先端部分を位相シフトマスクブランクスＭＢの表面に対して平行にスキャンさせる。これにより、噴射ノズル２３の先端部２３ａと位相シフトマスクブランクスＭＢの表面との間で所定の間隔を保ちつつ、高濃度オゾン水Ｗが位相シフトマスクブランクスＭＢの表面全体にムラなく噴射される。
【００３２】
オゾン水供給機構２４は、高濃度オゾン水Ｗを生成するオゾン水生成器３６と、生成させた高濃度オゾン水Ｗを加熱するオゾン水加熱器３７とを備えている。
オゾン水生成器３６は、例えば、原料ガスである酸素ガスに対して無声放電（誘電体バリア放電）を行うことでオゾンを発生させ、生じたオゾンを高濃度に水に溶解させて高濃度オゾン水Ｗを生成される。なお、オゾンの発生方法としては、酸素ガスに対する無声放電以外にも、水銀灯などの短波長の紫外線照射や、黒鉛電極および白金電極を用いた希硫酸の電気分解、あるいは、白金陰極と二酸化鉛陽極との間に固体高分子電解質膜形成して水を電気分解するなど、各種オゾンの発生方法を用いることができる。
【００３３】
このようなオゾン水生成器３６によって生成される高濃度オゾン水Ｗは、オゾン濃度が３０ｐｐｍ以上１５０ｐｐｍ以下の範囲、本実施形態では９０ｐｐｍとされている。従来、一般的なオゾン水生成器によって生成される、位相シフトマスクブランクス向けの洗浄用オゾン水のオゾン濃度は、２０ｐｐｍ程度とされている。しかし、本発明では、こうした従来の一般的なオゾン水よりもオゾン濃度が高い３０ｐｐｍ以上１５０ｐｐｍ以下の範囲のオゾン水を用いている。本発明における高濃度オゾン水は、オゾン濃度が３０ｐｐｍ以上１５０ｐｐｍ以下の範囲のオゾン水を言う。
【００３４】
オゾン水加熱器３７は、例えば、オゾン水生成器３６によって生成された高濃度オゾン水Ｗを貯留する液槽と、この液槽内を加熱する加熱手段とから構成されている。オゾン水加熱器３７は、オゾン水生成器３６によって生成された高濃度オゾン水Ｗを、液温が４０℃以上の６０℃以下の範囲、本実施形態では５０℃となるように加熱する。これによって、例えば、オゾン濃度が９０ｐｐｍで、かつ液温が５０℃の高濃度オゾン水Ｗ（加熱）が形成される。
以上の様なオゾン水供給機構２４によって形成された、加熱された高濃度オゾン水Ｗは、供給ポンプ、配管などを介して噴射ノズル２３に圧送される。
【００３５】
制御部２５は、保持機構２２の回転手段３２や、オゾン水供給機構２４の各部を制御する、例えばＣＰＵやインターフェイスなどから構成される。この制御部２５は、洗浄動作中は濃度計３３から出力される高濃度オゾン水Ｗのオゾン濃度を連続して監視し、高濃度オゾン水Ｗのオゾン濃度が設定範囲となるようにオゾン水生成器３６を制御する。なお、噴射ノズル２３に温度センサを更に付加して、高濃度オゾン水Ｗの液温が設定範囲となるようにオゾン水加熱器３７を制御する構成にすることも好ましい。
【００３６】
以上の様な構成の位相シフトマスクブランクスＭＢの洗浄装置２０の作用、効果を説明する。
本発明の位相シフトマスクブランクスＭＢの洗浄装置２０は、洗浄対象物である位相シフトマスクブランクスＭＢ（未洗浄）をステージ３１に載置して、このステージ３１を回転手段３２によって回転させる。そして、オゾン水供給機構２４から、５０℃に加熱され、オゾン濃度が９０ｐｐｍの高濃度オゾン水Ｗを、位相シフトマスクブランクスＭＢの表面に噴射する。高濃度オゾン水Ｗの噴射流量は、例えば、５００ｍｌ／ｍｉｎ〜４０００ｍｌ／ｍｉｎの範囲であればよい。また、ノズル移動手段２６のスキャン動作によって、加熱された高濃度オゾン水Ｗが位相シフトマスクブランクスＭＢの表面全体にムラなく行き渡る。
【００３７】
加熱された高濃度オゾン水Ｗは、前工程において熱処理されている位相シフトマスクブランクスＭＢの表面に存在するパーティクルを強い酸化力で除去する。加熱された高濃度オゾン水Ｗを洗浄液として用いることによって、例えば加熱工程で位相シフトマスクブランクスＭＢの表面に固着されたパーティクルであっても、確実に除去することができる。また、こうした熱された高濃度オゾン水Ｗは、他の酸化剤、例えば高濃度酸などと比較して位相シフト層１１の光学特性を変化させることが殆ど無いため、位相シフト層１１の光学特性を劣化させることなく位相シフトマスクブランクスＭＢの表面に固着されたパーティクルを除去することができる。
【００３８】
なお、上述した実施形態では、高濃度オゾン水Ｗをオゾン水加熱器３７によって原水の水温よりも高温になるように加熱しているが、特に高濃度オゾン水Ｗを加熱しないで位相シフトマスクブランクスＭＢの表面に噴射する構成にしてもよい。
【００３９】
＜位相シフトマスクブランクスの製造方法＞
本発明の位相シフトマスクブランクスの製造方法を図１〜５を用いて説明する。図５は、本発明の位相シフトマスクブランクスの製造方法を段階的に示したフローチャートである。
本発明の位相シフトマスクブランクスの製造方法によって位相シフトマスクブランクスを製造する際には、まず、透明基板１０の一面に位相シフト層１１を形成する（位相シフト層形成工程：Ｓ１）。
【００４０】
位相シフト層１１の形成は、例えば、スパッタリングや薄膜接合によって形成することができる。透明基板１０としては、例えば、石英ガラス基板を用いることができる。位相シフト層１１としては、遷移金属（例えば、遷移金属はモリブデン）とシリコンを主成分とするものであり、具体的には、モリブデンシリサイドの酸化物、窒化物、炭化物、酸化窒化物、炭化窒化物及び酸化炭化窒化物から選択される１つで構成することができる。
【００４１】
次に、透明基板１０の一面に位相シフト層１１を形成した位相シフトマスクブランクスＭＢの熱処理を行う（加熱工程：Ｓ２）。位相シフトマスクブランクスＭＢの熱処理は、例えば、アニール炉において、位相シフトマスクブランクスＭＢを２５０℃〜６００℃の範囲で、最高温度が６０分以上保たれるように、大気又は酸素を含む雰囲気中で加熱を行えばよい。こうした加熱工程Ｓ２によって、位相シフトマスクブランクスＭＢの耐薬品性が高められる。
【００４２】
次に、熱処理後の位相シフトマスクブランクスＭＢを高濃度オゾン水Ｗによって洗浄する（洗浄工程：Ｓ３）。洗浄工程Ｓ３においては、図３に示す洗浄装置２０を用いて、位相シフトマスクブランクスＭＢをステージ３１上で回転させつつ、ノズル移動手段２６によって噴射ノズル２３を水平にスキャンさせながら、位相シフトマスクブランクスＭＢの表面全体に高濃度オゾン水Ｗを噴射する。高濃度オゾン水Ｗとしては、例えば、５０℃に加熱され、オゾン濃度が９０ｐｐｍの高濃度オゾン水を用いる。
【００４３】
このような高濃度オゾン水Ｗの噴射によって、加熱工程を経た位相シフトマスクブランクスＭＢの表面を洗浄することによって、位相シフトマスクブランクスＭＢの表面に固着されたパーティクルが確実に除去される。そして、表面にパーティクルの無い、清浄な位相シフトマスクブランクスＭＢを得ることができる。
【００４４】
次に、高濃度オゾン水Ｗの噴射によって洗浄した位相シフトマスクブランクスＭＢの位相シフト層１１に重ねて遮光層１３を形成し（遮光層形成工程：Ｓ４）、遮光層１３が形成された位相シフトマスクブランクスＭＢを得る。遮光層１３の形成は、例えば、スパッタリングや薄膜接合によって形成することができる。また、遮光層１３としては、Ｃｒ単体や、Ｃｒの酸化物、窒化物、炭化物、酸化窒化物、炭化窒化物及び酸化炭化窒化物などを用いることができる。
【００４５】
なお、この後、遮光層１３が形成された位相シフトマスクブランクスＭＢを用いて位相シフトマスクＭを形成する際には、フォトリソグラフィー工程Ｓ５によって、位相シフトマスクブランクスＭＢに所望の露光パターンを象った位相シフトパターン１１Ａを形成する。これによって、パーティクルが除去された、所望の露光パターンが正確に反映された高精度な位相シフトマスクＭを得ることができる。
【００４６】
以上、本発明の実施形態を図面を参照して説明したが、これらの各実施形態は、例として提示したものであり、発明の範囲を限定することは意図していない。これら各実施形態は、その他の様々な形態で実施されることが可能であり、発明の要旨を逸脱しない範囲で、種々の省略、置き換え、追加、ないし変更を行うことができる。これら実施形態やその変形例は、発明の範囲や要旨に含まれると同様に、特許請求の範囲に記載された発明とその均等の範囲に含まれるものである。
【実施例】
【００４７】
本発明の効果を検証した。
検証にあたっては、図１に示すような、同一条件で形成した熱処理後の位相シフトマスクブランクスＭＢ（試料）を１４枚用意した。そして、これら試料を２枚一組として本発明例１〜６、および比較例１とし、表１の「オゾン水条件」に示すようにオゾン水のオゾン濃度と液温とを設定して、それぞれの条件のオゾン水で試料の洗浄を行った。
表１に、それぞれの試料における「洗浄前の透過率、位相差」、「洗浄後の透過率、位相差」「洗浄前と洗浄後の透過率および位相差の変化量」、「１組の試料ごとの変化量の平均」および「洗浄性」をそれぞれ示す。なお、洗浄性は、優、良、可、不可の４段階で評価した。
【００４８】
【表１】
0006674809.tif 000002
【００４９】
表１に示す結果によれば、本発明例１〜６に示すオゾン濃度が４０ｐｐｍ〜１２４ｐｐｍの高濃度オゾン水を用いて洗浄を行った試料は、洗浄性が高いことが確認された。特に、オゾン濃度を１２４ｐｐｍにした本発明例１や、液温を５０℃にした本発明例４、５は、パーティクルの洗浄効果が特に高いことが確認された。一方、比較例１に示すオゾン濃度が２０ｐｐｍの低濃度オゾン水を用いて洗浄を行った試料は、洗浄性が低く、パーティクルが充分に除去されていなかった。
本発明の位相シフトマスクブランクスの製造方法によれば、パーティクルが少なく、かつ、透過率や位相差の変化が少ない位相シフトマスクブランクスを得ることができることが確認された。
【符号の説明】
【００５０】
１０  透明基板
１１  位相シフト層
１３  遮光層
２０  洗浄装置
２１  筐体
２２  保持機構
２３  噴射ノズル
２４  オゾン水供給機構
２５  制御部
２６  ノズル移動手段
３３  濃度計
ＭＢ  位相シフトマスクブランクス
Ｗ  高濃度オゾン水
【図１】
0006674809.tif 000003
【図２】
0006674809.tif 000004
【図３】
0006674809.tif 000005
【図４】
0006674809.tif 000006
【図５】
0006674809.tif 000007